(57)【要約】【課題】  本発明はＬＡＮを構成すべくパソコンに取り付けられる薄型無線装置に関し、パソコンに影響が及ばないようにシールド性の向上を実現することを課題とする。【解決手段】  コンピュータのスロット内に挿入されて使用されるカード型高周波装置２１と、これに接続されるアンテナとを有する。カード型高周波装置は、回路基板組立体３０と、回路基板組立体の周囲を支持する固定枠７０と、回路基板組立体及び固定枠を覆う金属ケース８０とを有する。固定枠は、合成樹脂製の固定枠本体に、略全体にメッキを施してなる構成である。固定枠のメッキ膜が、カード型高周波装置の略全周に亘って回路基板の周囲に沿うグランドパターンと接触し、且つ、金属ケースと接触するよう構成する。【選択図】  図３
2004166309.tif 000002
【特許請求の範囲】
【請求項１】
パソコンのスロット内に挿入されて使用されるカード型高周波装置と、前記カード型高周波装置に接続されるアンテナとよりなる薄型無線装置であって、
カード型高周波装置は、回路基板とこれに実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、上記アンテナ接続用コネクタに関連して金属製接触片を設け、該金属製接触片が上記金属ケースと接触した構成としたことを特徴とする薄型無線装置。
【請求項２】
コンピュータのスロット内に挿入されて使用されるカード型高周波装置と、該カード型高周波装置に接続されるアンテナとよりなる薄型無線装置であって、
上記カード型高周波装置は、回路基板とこれに実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを２つ有し、帯状の金属板部材を、２つのアンテナ接続用コネクタの間に跨がって設けてなり、該金属板部材が上記金属ケースと接触し、且つ、上記高周波回路部分の一部であって上記帯状の金属板部材の下方の部位に高周波部品を実装してなる構成としたことを特徴とする薄型無線装置。
【請求項３】
コンピュータのスロット内に挿入されて使用される薄型無線装置であって、
回路基板と該回路基盤に実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、該アンテナ接続用コネクタを金属版を介して上記金属ケースと接触させる構成としたことを特徴とする薄型無線装置。
【発明の詳細な説明】
【技術分野】
【０００１】
本発明は薄型無線装置に係り、特に、ＬＡＮを構築するべくパソコンのスロット内に挿入されてパソコンと電気的に接続されて使用され、パソコンと基地局との間を無線でむすぶ薄型無線装置に関する。
【０００２】
ＬＡＮを、その構成を簡単とするために、各コンピュータと基地局とをケーブルに代えて無線でつないで構築する場合がある。この場合には、各コンピュータは無線装置を備える必要がある。
【背景技術】
【０００３】
図１５は従来の１例の無線装置１０を示し、図１６は無線装置１０が適用されたＬＡＮの一部を示す。ＬＡＮは、図１６に示すように、各パソコン１１毎に無線装置１０が備えられ、各パソコン１１が基地局１２と無線でつながっている。  無線装置１０は、図１５に示すように、ＰＣカードと同じ外形のカード型接続装置１３と、これとケーブル１４によって接続されている高周波回路装置１５とよりなる。高周波回路装置１５に、ロッドアンテナ１６が設けてある。カード型接続装置１３には、制御回路部分が組み込まれている。よって、無線装置１０は、制御回路部分と高周波回路部分とが分離された構造となっている。
【０００４】
無線装置１０は、図１６に示すように、カード型接続装置１３をパソコン１１のＰＣカード用スロット１１ａ内に挿入して接続し、高周波回路装置１５をパソコン１１の脇に置いた状態で使用される。
【発明の開示】
【発明が解決しようとする課題】
【０００５】
このため、パソコン１１の脇に高周波回路装置１５を置くスペースが必要となり、場所をとってしまう。
【０００６】
そこで、本発明は上記課題を解決した薄型無線装置を提供することを課題とする。
【課題を解決するための手段】
【０００７】
本発明は、パソコンのスロット内に挿入されて使用されるカード型高周波装置と、前記カード型高周波装置に接続されるアンテナとよりなる薄型無線装置であって、カード型高周波装置は、回路基板とこれに実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、上記アンテナ接続用コネクタに関連して金属製接触片を設け、該金属製接触片が上記金属ケースと接触した構成としたものである。
【発明の効果】
【０００８】
本発明によれば、アンテナ接続用コネクタと金属ケースとの間のインダクタンス成分を小さくして、アンテナを接続した場合のインピーダンスの不整合を小さく出来、よって、アンテナ接続用コネクタの箇所での高周波信号の反射を少なく出来、したがって、高周波回路部分が発振してしまうことを確実に防止出来る。
【発明を実施するための最良の形態】
【０００９】
発明を実施するための最良の形態について説明する。
【実施例１】
【００１０】
図１は本発明の実施例１になる薄型無線装置２０を示す。薄型無線装置２０は、ＰＣカードと同じ外形を有するカード型高周波装置２１と、同じくカード型であるカード型アンテナ２２とよりなる。
【００１１】
図２に示すように、カード型高周波装置２１は、各パソコン１１のＰＣカード用スロット１１ａ内に挿入して接続される。接続されたカード型高周波装置２１に、同じくカード型であるカード型アンテナ２２が接続される。これにより、薄型無線装置２０が構成され、各パソコン１１が基地局１２と無線でつながって、ＬＡＮの一部が構築される。また、アンテナ２２は特別に場所もとらない。
【００１２】
ここで、カード型高周波装置２１は、図１５に示すカード型接続装置１３とは異なり、制御回路部分に加えて高周波回路部分を有し、制御回路部分と高周波回路部分とが一体化されている構成である。このカード型高周波装置２１は、全長がパソコン１１のスロット１１ａ内に挿入された状態で使用される。よって、高周波回路部分から発生するノイズがパソコン１１に悪影響を及ぼさないように、十分にシールドされている必要がある。一方、保守性を良好とするために、後述する金属ケースは溶接ではなく、例えばかみ合わせで固定する必要がある。
【００１３】
カード型高周波装置２１は、上記の諸要求を満たす構造を有しており、以下、その構造について説明する。
【００１４】
〔カード型高周波装置２１の概略構成〕
図５に分解して示すように、カード型高周波装置２１は、回路基板組立体３０と、この回路基板組立体３０の周囲を支持する固定枠７０と、回路基板組立体３０及び固定枠７０を覆う金属ケース８０とを有し、ＰＣカードと同じ外形を有する。
【００１５】
〔回路基板組立体３０〕
回路基板組立体３０は、図６及び図７に併せて示すように、回路基板３１の上面３２と裏面３３とに複数の電子部品３４が実装され、且つ、回路基板３１のＹ２端側に、２つのアンテナ接続用コネクタ３５、３６が実装され、且つ、回路基板３１のＹ１端側に、パソコン接続用コネクタ３７が実装された構造を有する。  また、２つのアンテナ接続用コネクタ３５、３６の部分には、図８及び図９に示すように、帯状の金属板部材３８が設けてあり、且つ、図１０に示すように、略Ｕ字状の金属製接触片３９、４０が設けてある。
【００１６】
回路基板組立体３０は、図６及び図７に示すように、電源部５０、データ処理部５１、制御部５２に加えて、高周波回路部５３を有する。よって、カード型高周波装置２１は、高周波回路部５３を一体に有する構成である。高周波回路部５３は、上面３２のうちアンテナ接続用コネクタ３５、３６寄りの領域と、この領域の裏の領域、即ち、裏面３３のうち同じくアンテナ接続用コネクタ３５、３６寄りの領域とに設けてある。
【００１７】
ここで、高周波回路部５３のうち、回路基板３１の上面３２の部分についてみる。図８及び図９に示すように、高周波部品６０が複数実装してある。６１は初段の増幅器である。高周波回路部５３のうち、回路基板３１の裏面３３の部分については、図１０に示すように、高周波部品６２が複数実装してある。
【００１８】
また、回路基板３１には、グランドパターン５４、５５、５６が、図６及び図７に示すように、上下面の周縁に沿って、且つ、上面３２のうち、高周波回路部５３と制御部５２とを仕切って形成してある。表裏のグランドパターン５４、５５は、多数のスルーホール５７によって電気的につながっている。
【００１９】
アンテナ接続用コネクタ３５は、図３、図４、図８、図９、図１０に示すように、略立方体状の金属製の本体３５ａと、本体３５ａよりＹ２方向に突き出た同軸コネクタ部３５ｂとよりなる。同軸コネクタ部３５ｂは、誘電体製の円柱状のコア３５ｃと、この中心を貫通している中心導体端子３５ｄと、コア３５ｃを囲む筒状の外側導体端子３５ｅとよりなる。３５ｆは、中心の導体端子３５ｄのうちコア３５ｃよりＹ１方向に突き出ている突き出し中心導体端子である。筒状の外側導体端子３５ｅは、金属製の本体３５ａに固定してある。
【００２０】
このアンテナ接続用コネクタ３５は、本体３５ａを回路基板３１のＹ２方向端の縁の切欠部（図示せず）に嵌合されて、グランドパターン５４と半田付けされて、且つ、突き出し中心導体端子３５ｆを配線パターン５８と半田付けされて固定してある。
【００２１】
上記アンテナ接続用コネクタ３６は、上記アンテナ接続用コネクタ３５と同じ構造であり、上記アンテナ接続用コネクタ３５と同様に固定してある。
【００２２】
特に、図８及び図９に示すように、帯状の金属板部材３８は、両端側に、上を向いた接触片部３８ａ，３８ｂを有し、且つ、中央部に、下向きの足部３８ｃを有する。帯状の金属板部材３８は、足部３８ｃをグランドパターン５４ａと半田付けされて、アンテナ接続用コネクタ３５、３６の本体３５ａに固定されて両者間に跨がって設けてある。
【００２３】
跨がっている帯状金属板部材３８の下側は、高周波回路部５３の一部であり、図３に示すように、空間６３となっている。この空間６３を利用して、高周波回路部５３を構成する高周波部品６４が実装しある。
【００２４】
特に、図１０に示すように、金属製接触片３９、４０は、夫々、アンテナ接続用コネクタ３５、３６の直ぐ内側の部位に、グランドパターン５５と半田付けされて固定してある。
【００２５】
〔固定枠７０〕
図１１に示すように、固定枠７０は、合成樹脂製の四角形状の固定枠本体７１と、金属メッキ膜７６、７７、７８とよりなる。
【００２６】
固定枠本体７１は、Ｙ２端側のＸ１，Ｘ２方向に延在する辺７２と、Ｙ１、Ｙ２方向に延在する辺７３、７４と、Ｙ１端側の辺７５とよりなる。
【００２７】
辺７２は、アンテナ接続用コネクタの同軸コネクタ部３５ｂが入る孔７２ａ，７２ｂ及び、アンテナ取付け用の孔７２ｃ乃至７２ｆ、及び下面側に段部７２ｇ（図４参照）を有する。辺７３、７４は、内側に沿って段部７３ａ、７４ａ、及び、複数箇所に固定用爪７３ｂ、７４ｂ（図３参照）を有する。
【００２８】
また、辺７３には、金属メッキ膜７６が、その略全長に亘って且つ上下面及び左右側面に全周をくるむように、段部７３ａ及び固定用爪７３ｂにも形成してある。辺７４についても、辺７３と同じく金属メッキ膜７７が形成してある。
【００２９】
辺７２については、孔７２ａと孔７２ｂとの間の部分について、金属メッキ膜７８が全周をくるむように形成してある。孔７２ａよりＸ１側の部分７２ｈ、及び孔７２ｂよりＸ２側の部分７２ｉについては、金属メッキ膜は形成されていない。カード型アンテナ２２が接続された場合に、アンテナの放射パターンが変わらないようにするためである。
【００３０】
なお、孔７２ａ、７２ｂの内周面には金属メッキは施されていない。カード型アンテナ２２を接続するときに金属メッキが剥離する虞れがあり、剥離した金属メッキ片がカード型高周波装置２１内に入ると種種のトラブルを起こしてしまう虞れがあるからである。
【００３１】
〔金属ケース８０〕
図１２に示すように、金属ケース８０は、下ケース半体８１と、上ケース半体８２とが、両端側の２つの帯状のヒンジ８３、８４によってつながれた構造である。
【００３２】
下ケース半体８１は、本体部８１ａと、この三辺に沿う立ち上げ壁部８１ｂ，８１ｃ，８１ｄとよりなる。各立ち上げ壁部８１ｂ，８１ｃ，８１ｄは、上縁に内側に折れ曲がった幅ｗが狭い耳部８１ｂ−１，８１ｃ−１，８１ｄ−１を有する。Ｘ１，Ｘ２方向に沿う立ち上げ壁部８１ｂには、アンテナ接続用コネクタ用の孔８１ｂ−２，８１ｂ−３、及び、アンテナ取付け用の孔８１ｂ−４乃至８１ｂ−７が形成してある。
【００３３】
上ケース半体８２は、本体部８２ａと、この両側に沿う立ち上げ壁部８２ｂ，８２ｃとよりなる。
【００３４】
２つの帯状のヒンジ８３、８４の間の窓８５は、前記のパソコン接続用コネクタ３７を露出させる。
【００３５】
〔カード型高周波装置２１の構造〕
図１及び、図３乃至図５に示すように、カード型高周波装置２１は、回路基板組立体３０が、固定枠７０に固定され、回路基板組立体３０と固定枠７０とが、金属ケース８０内に収容された構造を有する。
【００３６】
回路基板組立体３０と固定枠７０との関係。
【００３７】
図３に示すように、回路基板３１の両側の縁が、辺７３、７４の段部７３ａ、７４ａに載置された状態で、固定用爪７３ｂ、７４ｂで係止されて固定してある。
【００３８】
回路基板３１のＹ２端側は、図４に示すように、辺７２の段部７２ｇに嵌合している。
【００３９】
回路基板３１は、固定枠７０の厚さ方向上、略中央に位置している。
【００４０】
アンテナ接続用コネクタ３５、３６の同軸コネクタ部３５ｂが、アンテナ接続用コネクタ用の孔７２ａ，７２ｂ内に嵌合している。
【００４１】
回路基板組立体３０及び固定枠７０と、金属ケース８０との関係。
【００４２】
金属ケース８０は、ヒンジ８３、８４を曲げられて、下ケース半体８１と上ケース半体８２とが閉じられている。図３に示すように、立ち上げ壁部８１ｃ，８１ｄが夫々立ち上げ壁部８２ｂ，８２ｃと重なっており、且つ、庇部８１ｃ−１，８１ｄ−１が上ケース半体８２のＸ１，Ｘ２方向端を係止している。立ち上げ壁部８１ｂの庇部８１ｂ−１は上ケース半体８２のＹ２方向端を係止している。三辺を係止されて、金属ケース８０は閉じた状態に保たれている。
【００４３】
立ち上げ壁部８１ｂは、固定枠７０の辺７２の前面を覆っている。アンテナ接続用コネクタ用の孔８１ｂ−２，８１ｂ−３、及び、アンテナ取付け用の孔８１ｂ−４乃至８１ｂ−７が、夫々辺７２のアンテナ接続用コネクタ用の孔７２ａ，７２ｂ及び、アンテナ取付け用の孔７２ｃ乃至７２ｆと一致している。
【００４４】
パソコン接続用コネクタ３７は、窓８５より露出している。
【００４５】
図３に示すように、上ケース半体８２の本体部８２ａのＸ１，Ｘ２方向端側の部分及び立ち上げ壁部８２ｂ，８２ｃが、固定枠７０の辺７３、７４の金属メッキ膜７６、７７と接触している。また、下ケース半体８１の本体部８１ａのＸ１，Ｘ２方向端側の部分が、固定枠７０の辺７３、７４の金属メッキ膜７６、７７と接触している。
【００４６】
図４に示すように、上ケース半体８２の本体部８２ａのＹ２方向端側の部分  が、固定枠７０の辺７２の金属メッキ膜７８と接触している。また、下ケース半体８１のＹ２方向端側の部分及び立ち上げ壁部８１ｂが、固定枠７０の辺７２の金属メッキ膜７８と接触している。
【００４７】
また、図３に示すように、帯状金属板部材３８の両端側の接触片部３８ａ，３８ｂが、上ケース半体８２の本体部８２ａにばね圧で接触している。
【００４８】
同じく、図３に示すように、金属製接触片３９、４０が、下ケース半体８１の本体部８１ａにばね圧で接触している。
【００４９】
ここで、回路基板組立体３０と金属ケース８０との電位の関係についてみる。  回路基板組立体３０のＸ１方向の右辺
全長に亘って、回路基板３１のグランドパターン５４、５５−金属メッキ膜７６−金属ケース８０と電気的につながっている。
【００５０】
回路基板組立体３０のＸ２方向の左辺
全長に亘って、回路基板３１のグランドパターン５４、５５−金属メッキ膜７７−金属ケース８０と電気的につながっている。
【００５１】
回路基板組立体３０のＹ２方向の前辺
アンテナ接続用コネクタ３５とアンテナ接続用コネクタ３６の間の部分については、回路基板３１のグランドパターン５４、５５−金属メッキ膜７８−金属ケース８０と電気的につながっている。
【００５２】
回路基板３１の裏面３３のグランドパターン５５のうち、アンテナ接続用コネクタ３５、３６の直ぐ内側の部位については、回路基板３１のグランドパターン５５−金属製接触片３９、４０−金属ケース８０と電気的につながっている。
【００５３】
回路基板３１の上面３２のグランドパターン５４ａと上ケース半体８２のうちアンテナ接続用コネクタ３５、３６の直ぐ外側の部位とが、帯状金属板部材３８によって電気的につながっている。即ち、アンテナ接続用コネクタ３５、３６の直ぐ外側の部位において、金属ケース８０と回路基板３１のグランドパターン５４ａとが電気的につながっている。
【００５４】
〔カード型高周波装置２１の使用状態におけるシールド性〕
カード型高周波装置２１は、図２に示すように、各パソコン１１のＰＣカード用スロット１１ａ内に挿入して、パソコン接続用コネクタ３７をパソコン１１側のコネクタに接続される。この接続されたカード型高周波装置２１に、同じくカード型であるカード型アンテナ２２が接続される。
【００５５】
カード型高周波装置２１がパソコン１１のＰＣカード用スロット１１ａ内に挿入されると、金属ケース８０が、図４に示すように、パソコン１１のアースシャーシ１００に固定してある接触片１０１と接触し、金属ケース８０の電位がアース電位とされる。
【００５６】
金属ケース８０は、部分的にではなく、その略全周に亘って連続的に回路基板３１のグランドパターン５４、５５と電気的につながっているため、グランドパターン５４、５５、５６の電位は、金属ケース８０とグランドパターン５４、５５とが部分的に電気的につながっていると仮定した構成に比べて、より確実にアース電位とされる。よって、回路基板組立体３０は良好にシールドされる。
【００５７】
ここで、アンテナ接続用コネクタ３５、３６より外側の部位には金属メッキ膜が存在していないけれども、アンテナ接続用コネクタ３５、３６の付近については、帯状金属板部材３８及び金属製接触片３９、４０によって回路基板３１のグランドパターン５４ａ、５５と補完的に電気的につながっている。この構成によって、回路基板組立体３０は更に良好にシールドされる。
【００５８】
よって、回路基板組立体３０のうち高周波回路部５３より発生し金属ケース８０内の空中に放出された高周波電磁ノイズがカード型高周波装置２１の外に漏れることが効果的に抑制され、パソコン１１は悪影響を受けない。
【００５９】
また、アンテナ接続用コネクタ３５、３６より外側の部位には金属メッキ膜が存在していないため、カード型アンテナ２２を接続した場合に、アンテナの放射パターンは変化せず、よって、薄型無線装置１０と基地局１２との間の無線通信は正常に行われ、ＬＡＮは正常に機能する。
【００６０】
〔カード型高周波装置２１の使用状態におけるインピーダンスの不整合の程度〕
図１３及び図４に示すように、アンテナ接続用コネクタ３５の外側導体端子３５ｅ（金属製の本体３５ａ）を金属ケース８０に電気的に接続する経路は２つあって、各経路の長さａ，ｂは共に短い。よって、外側導体端子３５ｅ（金属製の本体３５ａ）を金属ケース８０に電気的に接続する部分のインダクタンス成分は小さい。よって、アンテナ接続用コネクタ３５の外側導体端子３５ｅ（金属製の本体３５ａ）を接地したことによるインピーダンスの不整合の程度は小さい。
【００６１】
よって、高周波回路部５３より出力され、アンテナ接続用コネクタ３５を通ってカード型アンテナ２２に向かう高周波信号が、アンテナ接続用コネクタ３５の箇所で不要に反射されることが防止される。これにより、高周波回路部５３が不要に発振してしまうことは起きない。
【００６２】
〔カード型高周波装置２１の使用状態における高周波電磁ノイズの回り込み〕  図９及び図３に示すように、前記の跨がっている帯状金属板部材３８は、両端をグランド電位とされ、且つ、高周波回路部５３と上ケース半体８２との間の偏平な空間６５の一部を厚み方向上、２つの空間６３、６６に分割している。よって、跨がっている帯状金属板部材３８は、分割された空間のうちの一方の空間６３と他方の空間６６とを高周波電磁ノイズに関して遮蔽し、一方の空間で発生した高周波電磁ノイズが他方の空間に伝搬しにくくするように機能する。
【００６３】
前記の高周波部品６４は分割された空間のうちの一方の空間内に存在しており、初段の増幅器６１は他方の空間６６とつながっている空間６５内に存在している。よって、高周波部品６４から発生した高周波電磁ノイズが初段の増幅器６１にまで回り込むことが抑制され、よって、増幅器６１が発振を起こすことが確実に防止されている。
【００６４】
〔カード型アンテナ２２〕
カード型アンテナ２２は、図１４に示すように、カード型のケース９０内に皿状のアンテナ本体９１が内蔵してあり、ケース９０の一の側面に、コネクタ９２及び接続用の脚９３を複数有する構成である。
【００６５】
〔薄型無線装置２０〕
図１、図２及び図１４に示すように、カード型高周波装置２１は、各パソコン１１のＰＣカード用スロット１１ａ内に挿入して、パソコン接続用コネクタ３７をパソコン１１側のコネクタに接続される。カード型高周波装置２１がパソコン１１のＰＣカード用スロット１１ａ内に挿入されると、金属ケース８０が、図４に示すように、パソコン１１のアースシャーシ１００に固定してある接触片１０１と接触し、金属ケース８０の電位がアース電位とされる。この接続されたカード型高周波装置２１に、同じくカード型であるカード型アンテナ２２が接続される。
【００６６】
カード型アンテナ２２は、コネクタ９４及び接続用の脚９４を、カード型高周波装置２１の対応するアンテナ接続用コネクタ３５、３６及びアンテナ取付け用の孔７２ｃ乃至７２ｆに差し込んで装着される。
（付記１）ＰＣカードと実質的に同じ外形を有しコンピュータのスロット内に挿入されて使用されるカード型高周波装置と、該カード型高周波装置に接続されるアンテナとよりなる薄型無線装置であって、上記カード型高周波装置は、回路基板とこれに実装してある電子部品とよりなる回路基板組立体と、該回路基板組立体の周囲を支持する固定枠と、該回路基板組立体及び固定枠を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、上記回路基板の周囲に沿うグランドパターンが上記固定枠の実質上全周の部分を介して上記金属ケースと電気的に接続した構成とする。
【００６７】
付記１によれば、カード型高周波装置は、回路基板の周囲に沿うグランドパターンが固定枠の実質上全周の部分を介して金属ケースと電気的に接続した構成であるため、カード型高周波装置がコンピュータのスロット内に挿入されて金属ケースがグランドに接続されて使用されるときに、回路基板の周囲に沿うグランドパターンの電位を良好にグランド電位におとすことが出来る。よって、カード型高周波装置のシールド性の向上を図ることが出来、カード型高周波装置よりの外部への電磁ノイズの漏れを少なく出来、よって、コンピュータに影響が及ぶことを確実に防止出来る。
【００６８】
（付記２）ＰＣカードと実質的に同じ外形を有しコンピュータのスロット内に挿入されて使用されるカード型高周波装置と、該カード型高周波装置に接続されるアンテナとよりなる薄型無線装置であって、  上記カード型高周波装置は、回路基板とこれに実装してある電子部品とよりなる回路基板組立体と、該回路基板組立体の周囲を支持する固定枠と、該回路基板組立体及び固定枠を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、上記固定枠を、合成樹脂製の固定枠本体に、メッキを施してなる構成とし、該固定枠のメッキ膜が、上記回路基板の周囲に沿うグランドパターンと接触し、且つ、上記金属ケースと接触した構成する。
この付記２によれば、カード型高周波装置は、固定枠を、合成樹脂製の固定枠本体に、メッキを施してなる構成とし、固定枠のメッキ膜が、回路基板の周囲に沿うグランドパターンと接触し、且つ、上記金属ケースと接触した構成としたため、カード型高周波装置がコンピュータのスロット内に挿入されて金属ケースがグランドに接続されて使用されるときに、回路基板の周囲に沿うグランドパターンの電位を良好にグランド電位におとすことが出来、よって、カード型高周波装置のシールド性の向上を図ることが出来る。
【００６９】
（付記３）ＰＣカードと実質的に同じ外形を有しコンピュータのスロット内に挿入されて使用されるカード型高周波装置と、該カード型高周波装置に接続されるアンテナとよりなる薄型無線装置であって、上記カード型高周波装置は、回路基板とこれに実装してある電子部品とよりなる回路基板組立体と、該回路基板組立体の周囲を支持する固定枠と、該回路基板組立体及び固定枠を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、上記固定枠を、合成樹脂製の固定枠本体に、メッキを施してなる構成とし、該固定枠のメッキ膜が、上記回路基板の周囲に沿うグランドパターンと接触し、且つ、上記金属ケースと接触し、且つ、上記アンテナ接続用コネクタに関連して金属製接触片を設け、該金属製接触片が上記金属ケースと接触した構成とする。
この付記３によれば、カード型高周波装置は、固定枠を、合成樹脂製の固定枠本体に、メッキを施してなる構成とし、固定枠のメッキ膜が、回路基板の周囲に沿うグランドパターンと接触し、且つ、上記金属ケースと接触した構成とすると共に、アンテナ接続用コネクタに関連して金属製接触片を設け、金属製接触片が金属ケースと接触した構成としたため、カード型高周波装置のシールド性の向上を図ることが出来、且つ、アンテナ接続用コネクタと金属ケースとの間のインダクタンス成分を小さくして、アンテナを接続した場合のインピーダンスの不整合を小さく出来、よって、アンテナ接続用コネクタの箇所での高周波信号の反射を少なく出来、よって、高周波回路部分が発振してしまうことを確実に防止出来る。
【００７０】
（付記４）ＰＣカードと実質的に同じ外形を有しコンピュータのスロット内に挿入されて使用されるカード型高周波装置と、該カード型高周波装置に接続されるアンテナとよりなる薄型無線装置であって、上記カード型高周波装置は、回路基板とこれに実装してある電子部品とよりなる回路基板組立体と、該回路基板組立体の周囲を支持する固定枠と、該回路基板組立体及び固定枠を覆う金属ケースとを有し、上記回路基板組立体は制御回路部
分及び高周波回路部分を有し、一端側にコンピュータ接続用コネクタを有し、他端側にアンテナが接続されるアンテナ接続用コネクタを２つ有し、上記固定枠を、合成樹脂製の固定枠本体に、メッキを施してなる構成とし、該固定枠のメッキ膜が、上記回路基板の周囲に沿うグランドパターンと接触し、且つ、上記金属ケースと接触し、且つ、両端に接触片部を有する帯状の金属板部材を、２つのアンテナ接続用コネクタの間に跨がって設けてなり、該接触片部が上記金属ケースと接触し、且つ、上記高周波回路部分の一部であって上記帯状の金属板部材の下方の部位に高周波部品を実装してなる構成とする。
この付記４によれば、カード型高周波装置は、固定枠を、合成樹脂製の固定枠本体に、メッキを施してなる構成とし、固定枠のメッキ膜が、回路基板の周囲に沿うグランドパターンと接触し、且つ、上記金属ケースと接触した構成とすると共に、両端に接触片部を有する帯状の金属板部材を、２つのアンテナ接続用コネクタの間に跨がって設けてなり、該接触片部が上記金属ケースと接触し、且つ、上記高周波回路部分の一部であって上記帯状の金属板部材の下方の部位に高周波部品を実装してなる構成としたため、カード型高周波装置のシールド性の向上を図ることが出来、且つ、アンテナ接続用コネクタと金属ケースとの間のインダクタンス成分を小さくして、アンテナを接続した場合のインピーダンスの不整合を小さく出来、よって、アンテナ接続用コネクタの箇所での高周波信号の反射を少なく出来、よって、高周波回路部分が発振してしまうことを確実に防止出来る。更には、帯状の金属板部材の下方の部位の高周波部品からの電磁ノイズが増幅器に回り込むことを防止出来、増幅器が発振してしまうことを確実に防止出来る。
【図面の簡単な説明】
【００７１】
【図１】本発明の実施例１になる薄型無線装置の斜視図である。
【図２】図１中の薄型無線装置を適用して構築されたＬＡＮの一部を示す図である。
【図３】図１中、ＩＩＩ−ＩＩＩ線に沿う拡大断面矢視図である。
【図４】図１中、ＩＶ−ＩＶ線に沿う拡大断面矢視図である。
【図５】図１中のカード型高周波装置の分解斜視図である。
【図６】回路基板組立体の平面図である。
【図７】回路基板組立体を表裏反転させた状態を示す図である。
【図８】図６中、回路基板組立体のアンテナ接続用コネクタ側を示す斜視図である。
【図９】図８中、矢印ＩＸ方向よりみた斜視図である。
【図１０】図７中、回路基板組立体のアンテナ接続用コネクタ側を示す斜視図である。
【図１１】固定枠を示す斜視図である。
【図１２】金属ケースの閉じる前の状態を示す図である。
【図１３】図３中、一のアンテナ接続用コネクタ周りの部分を拡大して示す図である。
【図１４】アンテナを拡大して示す図である。
【図１５】従来の無線装置の１例を示す図である。
【図１６】図１５の無線装置を適用して構築されたＬＡＮの一部を示す図である。
【符号の説明】
【００７２】
２０  薄型無線装置
２１  カード型高周波装置
２２  カード型アンテナ
３０  回路基板組立体
３１  回路基板
３２  回路基板の上面
３３  回路基板の裏面
３４  電子部品
３５、３６  アンテナ接続用コネクタ
３５ａ  金属製の本体
３５ｂ  同軸コネクタ部
３５ｃ  誘電体製の円柱状のコア
３５ｄ  中心の導体端子
３５ｅ  筒状の外側導体端子
３５ｆ  突き出し中心導体端子
３７  パソコン接続用コネクタ
３８  帯状の金属板部材
３９、４０  金属製接触片
５０  電源部
５１  データ処理部
５２  制御部
５３  高周波回路部
５４、５４ａ，５５、５６  グランドパターン
５７  スルーホール
６０、６２、６４  高周波部品
６１  増幅器
６３、６５、６６  空間
７０  固定枠
７１  合成樹脂製の四角形状の固定枠本体
７２，７３，７４，７５  辺
７２ａ〜７２ｆ  孔
７２ｇ，７３ａ，７４ａ  段部
７３ｂ，７４ｂ  固定用爪
７６，７７，７８  金属メッキ膜
８０  金属ケース
８１  下ケース半体
８１ａ  本体部
８１ｂ，８１ｃ，８１ｄ  立ち上げ壁部
８１ｂ−１，８１ｃ−１，８１ｄ−１  耳部
８２  上ケース半体
８２ａ  本体部
８２ｂ，８２ｃ  立ち上げ壁部
８３，８４  帯状のヒンジ
８５  窓
９０  ケース
９１  皿状のアンテナ本体
９２  コネクタ
９３  接続用の脚
１００  パソコンのシャーシ
１０１  接触片
【図１】
2004166309.tif 000003
【図２】
2004166309.tif 000004
【図３】
2004166309.tif 000005
【図４】
2004166309.tif 000006
【図５】
2004166309.tif 000007
【図６】
2004166309.tif 000008
【図７】
2004166309.tif 000009
【図８】
2004166309.tif 000010
【図９】
2004166309.tif 000011
【図１０】
2004166309.tif 000012
【図１１】
2004166309.tif 000013
【図１２】
2004166309.tif 000014
【図１３】
2004166309.tif 000015
【図１４】
2004166309.tif 000016
【図１５】
2004166309.tif 000017
【図１６】
2004166309.tif 000018
【手続補正書】
【提出日】平成16年3月1日(2004.3.1)
【手続補正１】
【補正対象書類名】特許請求の範囲
【補正対象項目名】全文
【補正方法】変更
【補正の内容】
【特許請求の範囲】
【請求項１】
パソコンのスロット内に挿入されて使用されるカード型高周波装置と、前記カード型高周波装置に接続されるアンテナとよりなる薄型無線装置であって、
カード型高周波装置は、回路基板とこれに実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側に上記アンテナが接続されるアンテナ接続用コネクタを有し、上記アンテナ接続用コネクタに関連して金属製接触片を設け、上記アンテナ接続用コネクタを前記金属製接触片を介して上記金属ケースに電気的に接触した構成としたことを特徴とする薄型無線装置。
【請求項２】
コンピュータのスロット内に挿入されて使用されるカード型高周波装置と、該カード型高周波装置に接続されるアンテナとよりなる薄型無線装置であって、
上記カード型高周波装置は、回路基板とこれに実装してある電子部品とよりなる回路基
板組立体と、該回路基板組立体を覆う金属ケースとを有し、上記回路基板組立体は制御回
路部分及び高周波回路部分を有し、一端側にコンピュータ接続用コネクタを有し、他端側
に上記アンテナが接続されるアンテナ接続用コネクタを２つ有し、金属板部材を、２つのアンテナ接続用コネクタの間に跨がって設けてなり、該金属板部材が上記金属ケースと接触し、且つ、上記金属板部材の下方の部位に上記高周波回路部分の一部を実装してなる構成としたことを特徴とする薄型無線装置。
【請求項３】
コンピュータのスロット内に挿入されて使用されるカード型高周波装置と、該カード型高周波装置に接続されるアンテナとよりなる薄型無線装置であって、
上記カード型高周波装置は、回路基板と該回路基盤に実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側に上記アンテナが接続されるアンテナ接続用コネクタを有し、該アンテナ接続用コネクタを金属片を介して上記金属ケースと電気的に接触させる構成としたことを特徴とする薄型無線装置。
【請求項４】
コンピュータのスロット内に挿入されて使用されるカード型高周波装置であって、
回路基板とこれに実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、上記アンテナ接続用コネクタに関連して金属製接触片を設け、上記アンテナ接続用コネクタを該金属製接触片を介して上記金属ケースに電気的に接触した構成としたことを特徴とするカード型高周波装置。
【請求項５】
コンピュータのスロット内に挿入されて使用されるカード型高周波装置であって、
回路基板とこれに実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを２つ有し、帯状の金属板部材を、２つのアンテナ接続用コネクタの間に跨がって設けてなり、該金属板部材が上記金属ケースと接触し、且つ、上記金属板部材の下方の部位に上記高周波回路部分の一部を実装してなる構成としたことを特徴とするカード型高周波装置。
【請求項６】
コンピュータのスロット内に挿入されて使用されるカード型高周波装置であって、
回路基板と該回路基盤に実装してある電子部品とよりなる回路基板組立体と、該回路基
板組立体を覆う金属ケースとを有し、上記回路基板組立体は制御回路部分及び高周波回路
部分を有し、一端側にコンピュータ接続用コネクタを有し、他端側にアンテナが接続され
るアンテナ接続用コネクタを有し、該アンテナ接続用コネクタを金属片を介して上記金属
ケースと電気的に接触させる構成としたことを特徴とするカード型高周波装置。
【手続補正２】
【補正対象書類名】明細書
【補正対象項目名】０００１
【補正方法】変更
【補正の内容】
【０００１】
本発明はカード型高周波装置、またはこのカード型高周波装置とこれに接続されるアンテナとからなる薄型無線装置に係り、特に、ＬＡＮを構築するべくパソコンのスロット内に挿入されてパソコンと電気的に接続されて使用され、パソコンと基地局との間を無線でむすぶ装置に関する。
【手続補正３】
【補正対象書類名】明細書
【補正対象項目名】０００６
【補正方法】変更
【補正の内容】
【０００６】
そこで、本発明は上記課題を解決したカード型高周波装置、及び薄型無線装置を提供することを課題とする。
【手続補正４】
【補正対象書類名】明細書
【補正対象項目名】０００７
【補正方法】変更
【補正の内容】
【０００７】
本発明は、コンピュータのスロット内に挿入されて使用されるカード型高周波装置、又はこれに接続されるアンテナとからなる薄型無線装置であって、カード型高周波装置は、回路基板と該回路基盤に実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、上記アンテナ接続用コネクタを金属片を介して上記金属ケースに電気的に接触した構成とする。
また、カード型高周波装置は、回路基板とこれに実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを有し、上記アンテナ接続用コネクタに関連して金属製接触片を設け、上記アンテナ接続用コネクタを該金属製接触片を介して上記金属ケースに電気的に接触した構成としてもよい。
更に、カード型高周波装置は、回路基板とこれに実装してある電子部品とよりなる回路基板組立体と、該回路基板組立体を覆う金属ケースとを有し、上記回路基板組立体は制御回路部分及び高周波回路部分を有し、一端側にコンピュータ接続用コネクタを有し、他端側にアンテナが接続されるアンテナ接続用コネクタを２つ有し、帯状の金属板部材を、２つのアンテナ接続用コネクタの間に跨がって設けてなり、該金属板部材が上記金属ケースと接触し、且つ、上記金属板部材の下方の部位に上記高周波回路部分の一部を実装してなる構成とすることもできる。
【手続補正５】
【補正対象書類名】明細書
【補正対象項目名】０００８
【補正方法】変更
【補正の内容】
【０００８】
本発明によれば、アンテナ接続用コネクタと金属ケースとの間のインダクタンス成分を
小さくして、アンテナを接続した場合のインピーダンスの不整合を小さく出来、よって、
アンテナ接続用コネクタの箇所での高周波信号の反射を少なく出来、したがって、高周波
回路部分が発振してしまうことを確実に防止出来る。更には、金属板部材の下方の部位の高周波部品からの電磁ノイズが増幅器に回り込むことを防止出来、増幅器が発振してしまうことを確実に防止出来る。